(57)【要約】【課題】第１のネットワーク家電で第１の処理を行った後にだけ、第２のネットワーク家電で第２の処理を行うといった流れ処理を想定した複数のネットワーク家電間での連係動作を実現すること。【解決手段】第１のネットワーク家電２０は無線ＩＣタグ２ａのコード情報を読み取る読取手段３ａを具備し、無線ＩＣタグ２ａが添付された対象物１ａに対して第１の処理を行い、前記第１の処理終了後に無線ＩＣタグのコード情報と、第１のネットワーク家電での処理が終了したという情報（終了情報）とを、中継装置４０へ送信し記憶手段に記憶する。第２のネットワーク家電３０は、第２の処理を行う際に、中継装置４０と通信をして記憶手段に第１のネットワーク家電の終了情報が書き込まれているかを確認する。【選択図】図１
2006228097.tif 000002
【特許請求の範囲】
【請求項１】
第１のネットワーク家電と、第２のネットワーク家電と、中継装置とから構成するネットワークシステムにおいて、
前記第１のネットワーク家電は無線ＩＣタグのコード情報を読み取る読取手段を具備し、前記無線ＩＣタグが添付された対象物に対して第１の処理を行い、前記第１の処理終了後に、前記読取手段で読み取った無線ＩＣタグのコード情報と、前記第１のネットワーク家電での処理が終了したという情報（終了情報）、または、前記第２のネットワーク家電で行うべき処理に関する情報（次処理情報）とを前記中継装置へ送信し、前記中継装置は具備する記憶手段で前記コード情報と、前記終了情報、または、前記次処理情報とを記憶することを特徴とするネットワークシステム。
【請求項２】
第１のネットワーク家電が第１の処理を開始する時点で、読取手段が無線ＩＣタグのコード情報を読取り、前記コード情報と無効情報とを中継装置に送信し、前記中継装置は前記コード情報と前記無効情報とを記憶手段に記憶し、
前記第１のネットワーク家電による前記第１の処理が終了した時点で、前記第１のネットワーク家電が新たに前記コード情報と終了情報、または、次処理情報とを前記中継装置に送信し、
前記中継装置は前記コード情報と、終了情報、または、次処理情報とを前記記憶手段に記憶することを特徴とする請求項１記載のネットワークシステム。
【請求項３】
第２のネットワーク家電にて第２の処理を行う際に、前記第２のネットワーク家電が具備する読取手段にて無線ＩＣタグのコード情報を読取り、前記コード情報を中継装置に送信し、
前記中継装置は前記コード情報に対応する情報（無効情報、または、終了情報、または、次処理情報のいずれか）を含む情報を前記第２のネットワーク家電に返信し、
前記無効情報を受け取った場合には前記第２のネットワーク家電が具備する報知手段で報知することを特徴とする請求項２記載のネットワークシステム。
【請求項４】
中継装置の記憶手段に記憶する情報には、第１のネットワーク家電において処理した時刻に関する情報（終了時刻情報）、または第２のネットワーク家電において処理すべき時刻に関する情報（次処理時刻情報）を含むことを特徴とする請求項１記載のネットワークシステム。
【請求項５】
第２のネットワーク家電にて第２の処理を行う際に、中継装置の記憶手段から情報を取得して、終了時刻情報から所定時間が経過していると判断した場合、または、次処理時刻情報を経過していると判断した場合に、前記第２のネットワーク家電が具備した報知手段で報知することを特徴とする請求項４記載のネットワークシステム。
【請求項６】
第１のネットワーク家電を洗濯脱水装置とし、第２のネットワーク家電を乾燥装置として、洗濯脱水が完了したという情報、あるいは、乾燥処理を指示する情報を中継装置の記憶手段に記憶することを特徴とする請求項１記載のネットワークシステム。
【請求項７】
第１のネットワーク家電を冷凍冷蔵装置とし、第２のネットワーク家電を加熱調理装置として、保存した温度に関する情報、あるいは、加熱調理の方法を指示する情報を中継装置の記憶手段に記憶することを特徴とする請求項１記載のネットワークシステム。
【請求項８】
請求項１〜５のいずれか記載のネットワークシステムにおいて第１のネットワーク家電または第２のネットワーク家電または中継装置の機能をコンピュータに実行させるためのプログラム。
【発明の詳細な説明】
【技術分野】
【０００１】
本発明は、無線ＩＣタグを用いた家電のネットワークシステムとそのプログラムに関するものである。
【背景技術】
【０００２】
無線ＩＣタグの家電分野への応用が検討されており、特許文献１のように対象物に添付された無線ＩＣタグのコード情報に基づいて、ネットワークを経由して管理サーバにアクセスして、対象物の製造元などの詳細情報を取得する方式が考案されている。
【特許文献１】特開２００３−１５７４７７号公報
【発明の開示】
【発明が解決しようとする課題】
【０００３】
しかしながら、特許文献１等には、対象物に対して、第１のネットワーク家電で第１の処理を行った後にだけ、第２のネットワーク家電で第２の処理を行うといった流れ処理に無線ＩＣタグを利用することまでは想定しておらず、このような流れ処理を複数のネットワーク家電間での連係動作は困難であった。
【課題を解決するための手段】
【０００４】
そこで、前記の課題を解決するために、第１のネットワーク家電と、第２のネットワーク家電と、中継装置とから構成するネットワークシステムにおいて、前記第１のネットワーク家電は無線ＩＣタグのコード情報を読み取る読取手段を具備し、前記無線ＩＣタグが添付された対象物に対して第１の処理を行い、前記第１の処理終了後に、前記読取手段で読み取った無線ＩＣタグのコード情報と、前記第１のネットワーク家電での処理が終了したという情報（終了情報）、または、前記第２のネットワーク家電で行うべき処理に関する情報（次処理情報）とを前記中継装置へ送信し、前記中継装置は具備する記憶手段で前記コード情報と、前記終了情報、または、前記次処理情報とを記憶するようにした。
【発明の効果】
【０００５】
これにより、対象物に対して、第１のネットワーク家電で第１の処理を行った後にだけ、第２のネットワーク家電で第２の処理を行うといった流れ処理を想定した複数のネットワーク家電間での連係動作が可能となった。
【０００６】
例えば、洗濯脱水が終わっていない衣類を乾燥装置で乾燥させてしまうと衣類の汚れを固着させてしまい、その後洗濯脱水しなおしても綺麗にならないといったことを避けるため、洗濯脱水が完了している衣類だけを対象にして乾燥させるということが期待できる。
【発明を実施するための最良の形態】
【０００７】
第１の発明は、ネットワーク家電とそのプログラムにおいて、第１のネットワーク家電と、第２のネットワーク家電と、中継装置とから構成するネットワークシステムにおいて、前記第１のネットワーク家電は無線ＩＣタグのコード情報を読み取る読取手段を具備し、前記無線ＩＣタグが添付された対象物に対して第１の処理を行い、前記第１の処理終了後に、前記読取手段で読み取った無線ＩＣタグのコード情報と、前記第１のネットワーク家電での処理が終了したという情報（終了情報）、または、前記第２のネットワーク家電で行うべき処理に関する情報（次処理情報）とを前記中継装置へ送信し、前記中継装置は具備する記憶手段で前記コード情報と、前記終了情報、または、前記次処理情報とを記憶するようにした。
【０００８】
これにより、対象物に対して、第１のネットワーク家電で第１の作業を行った後にだけ、第２のネットワーク家電で第２の作業を行うといった流れ作業を想定した場合、中継装置の記憶手段に記憶された情報を確認することにより、対象物に対して第２の作業を行うべきかどうかを確実に知ることが出来る。
【０００９】
第２の発明は、特に第１の発明において、第１のネットワーク家電が第１の処理を開始する時点で、読取手段が無線ＩＣタグのコード情報を読取り、前記コード情報と無効情報とを中継装置に送信し、前記中継装置は前記コード情報と前記無効情報とを記憶手段に記憶し、前記第１のネットワーク家電による前記第１の処理が終了した時点で、前記第１のネットワーク家電が新たに前記コード情報と終了情報、または、次処理情報とを前記中継装置に送信し、前記中継装置は前記コード情報と、終了情報、または、次処理情報とを前記記憶手段に記憶するようにした。
【００１０】
これにより、第１のネットワーク家電が第１の処理を開始して正常に終了した場合、第２のネットワーク家電で処理を行うことが出来るが、第１の処理が終了する前に中断して第１の処理が正常に終了しなかった場合には、中継装置には無効情報しか書かれていないので、その後の処理に活用することが出来る。
【００１１】
第３の発明は、特に第２の発明において、第２のネットワーク家電にて第２の処理を行う際に、前記第２のネットワーク家電が具備する読取手段にて無線ＩＣタグのコード情報を読取り、前記コード情報を中継装置に送信し、前記中継装置は前記コード情報に対応する情報（無効情報、または、終了情報、または、次処理情報のいずれか）を含む情報を前記第２のネットワーク家電に返信し、前記無効情報を受け取った場合には前記第２のネットワーク家電が具備する報知手段で報知するようにした。
【００１２】
これにより、第１の処理が終わっていないのに、誤って第２の処理を行ってしまうということを回避するため、報知して注意を喚起することができる。
【００１３】
第４の発明は、特に第１の発明において、中継装置の記憶手段に記憶する情報には、第１のネットワーク家電において処理した時刻に関する情報（終了時刻情報）、または第２のネットワーク家電において処理すべき時刻に関する情報（次処理時刻情報）を含むようにした。
【００１４】
これにより、この情報を利用して、第１のネットワーク家電での処理と、第２のネットワーク家電での処理とのあいだに時間情報を持たせることができる。例えば、第１のネットワーク家電での処理から、第２のネットワーク家電での処理までに制限時間を設けることが可能となる。
【００１５】
第５の発明は、特に第４の発明において、第２のネットワーク家電にて第２の処理を行う際に、中継装置の記憶手段から情報を取得して、終了時刻情報から所定時間が経過していると判断した場合、または、次処理時刻情報を経過していると判断した場合に、前記第２のネットワーク家電が具備した報知手段で報知するようにした。
【００１６】
これにより、この情報を利用して、第１のネットワーク家電での処理と、第２のネットワーク家電での処理とのあいだに制限時間を付与することができる。例えば、第１のネットワーク家電での処理から第２のネットワーク家電での処理までに１日以上経っている場合に、それを報知して、第２のネットワーク家電での処理が要確認であることを使用者に知らせることが可能となる。
【００１７】
第６の発明は、特に第１の発明において、第１のネットワーク家電を洗濯脱水装置とし、第２のネットワーク家電を乾燥装置として、洗濯脱水が完了したという情報、あるいは、乾燥処理を指示する情報を中継装置の記憶手段に記憶するようにした。
【００１８】
これにより、この情報を利用して、洗濯脱水が終わっていない衣類を乾燥装置で乾燥させてしまうと衣類の汚れを固着させてしまい、その後洗濯脱水しなおしても綺麗にならないといったことがないように対応することが出来る。
【００１９】
第７の発明は、特に第１の発明において、第１のネットワーク家電を冷凍冷蔵装置とし、第２のネットワーク家電を加熱調理装置として、保存した温度に関する情報、あるいは、加熱調理の方法を指示する情報を中継装置の記憶手段に記憶するようにした。
【００２０】
これにより、この情報を利用して、冷凍冷蔵保存した温度に最適な加熱調理の方法を指示することで最適な調理を行うことが出来る。
【００２１】
第８の発明は、特に第１〜５記載のいずれかの発明において、第１のネットワーク家電または第２のネットワーク家電または中継装置の機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部をプログラムとして容易に実現することができる。また記録媒体に記録あるいは、通信回線を用いてプログラム配信することにより、プログラム配布が他の手段に比べて極めて簡単に実現できる。
【００２２】
以下、本発明の実施の形態について、図面を用いて一実施形態について詳細に説明する。なお、この実施の形態によって本発明が限定されるものではない。
【００２３】
（実施の形態１）
図１は本発明の本発明のネットワーク家電とシステム構成一例を示す図である。
【００２４】
ここでは第１のネットワーク家電として洗濯脱水装置２０、第２のネットワーク家電として乾燥装置３０を用いて説明を進める。この組み合わせを選んだのは、例えば、洗濯脱水が終わっていない衣類（対象物１ａ）を乾燥装置３０で乾燥させてしまうと衣類（対象物１ａ）の汚れを固着させてしまい、その後洗濯脱水しなおしても綺麗にならないといったケースが考えられ、洗濯脱水が完了した衣類（対象物１ａ）だけを乾燥させることが期待できるからである。
【００２５】
まず、洗濯脱水装置２０（第１のネットワーク家電）について説明する。洗濯脱水装置２０は、対象物１ａを洗濯脱水する装置であり、対象物１ａに添付された無線ＩＣタグ２ａの情報を読み取る読取手段３ａ、制御手段４ａ、洗濯脱水促進手段５、特小無線通信手段６ａを具備する。
【００２６】
洗濯脱水装置２０は洗濯脱水促進手段５にて、洗濯脱水すべき対象物１ａに対して、物理的に洗濯脱水を促進し、この洗濯脱水促進手段５は制御手段４ａによって回転数、処理時間などが制御される。
【００２７】
洗濯脱水には水につけたりして、物理的に洗濯脱水を促進するので、例えば麻や綿などのように洗濯脱水に耐えうる材質であればそのまま洗濯脱水しても構わないが、ナイロンや加工品には水濡れや物理的に弱いものがあるため注意を要する。
【００２８】
こういった対象物１ａごとに設定された選択脱水の可否や洗濯方法などを予め知っておくことで、その材質に応じて洗濯脱水を制御すれば、大切な衣類を傷めたりすることなく、効率良く洗濯脱水させることが出来る。
【００２９】
そのために、対象物１ａに添付された無線ＩＣタグ２ａから読み取ったコード情報を活用することが考えられる。そのコード情報に、洗濯脱水に関する情報を含める。あるいは、コード情報が文字通り、６４〜１２８ビット程度の数字列で表現される数値情報であって、このコード情報だけでは洗濯脱水に関する具体的な情報が得られない場合には、このコード情報を基にして中継装置４０、ルータ５０経由で、インターネット上のサーバ（名前解決サーバ６０、および、製品情報サーバ７０）にアクセスして、そもそも対象物１ａが洗濯脱水装置２０で洗濯脱水しても良いものか、あるいは、洗濯脱水可能ならば洗濯脱水の温度は何度が適当であるか、あるいは洗濯脱水は何分であるかという洗濯脱水に関する情報を取得する。
【００３０】
なお、上記の中継装置４０は、ネットワーク家電との通信のための特小無線通信手段６ｃ、制御手段４ｃ、ルータ５０との通信のためのＬＡＮ通信手段９ａを具備し、ルータ５０は中継手段４０との通信のためのＬＡＮ通信手段９ｂ、インターネット通信のためのＷＡＮ通信手段１０を具備しており、洗濯脱水装置２０が読み取った無線ＩＣタグ２ａのコード情報から対象物１ａの詳細情報を取得するという主体的な動作を行っている。
【００３１】
このような経路、手法で取得した洗濯脱水に関する情報を元に、洗濯脱水装置２０に具備された制御手段４ａが洗濯脱水促進手段５を制御して、より適切な洗濯脱水を行うことが出来るので、上記のような情報を取得することは大変有益である。複数の条件の異なる対象物に対しては、最も条件の厳しいものに合わせて対象物の破壊を防ぐことも期待できる。ただし、本発明は洗濯脱水装置の動作に関するものではないため、これ以上詳しく洗濯脱水に関しての説明は行わない。
【００３２】
ここまでの説明は、無線ＩＣタグ２ａから読み込んだ情報を利用した洗濯脱水装置２０の基本動作に関する説明であったが、中継装置４０の例えば制御手段４ｃの内部に記憶手段（図示せず）があって、洗濯脱水装置２０が送信した情報を乾燥工程への引継ぎデータとして、乾燥を指示する情報（次処理情報）を中継装置４０の記憶手段に書き込むことが考えられる。
【００３３】
すなわち、対象物１ａを洗濯脱水する場合、最初に、洗濯脱水装置２０は洗濯脱水を開始する時点で、洗濯脱水すべき対象物１ａに添付された無線ＩＣタグ２ａのコード情報を読取り、このコード情報と、無効情報とを中継装置４０に送信する。中継装置４０はこのコード情報と無効情報とを受信して制御手段４ｃの記憶手段に記憶する。次に洗濯脱水装置２０による洗濯脱水処理が終了した時点で、洗濯脱水装置２０が無線タグ２ａのコード情報と、洗濯脱水処理の終了情報（終了情報）、または、これから乾燥すべきであるという情報（次処理情報）とを中継装置４０に送信し、中継装置４０はコード情報と、終了情報、または、次処理情報とを受信して制御手段４ｃの記憶手段に記憶する（無効情報に上書きする）。
【００３４】
次に、洗濯脱水が終了した対象物１ａは、人手などにより乾燥装置３０（第２のネットワーク家電）へ移され、乾燥処理を行うことになる。
【００３５】
乾燥装置３０は対象物１ｂを乾燥する装置であり、対象物１ｂに添付された無線ＩＣタグ２ｂの情報を読み取る読取手段３ｂと、全体を制御する制御手段４ｂと、制御手段４ｂによって制御され対象物１ｂの乾燥を促進する乾燥促進手段７と、中継装置４０とコード情報を含む情報を通信する特小無線通信手段６ｂと、制御手段４ｂによって制御され報知をおこなう報知手段８とを具備する。
【００３６】
乾燥装置３０では乾燥を開始するまでに、乾燥装置３０が具備する読取手段３ｂにて無線ＩＣタグ２ｂのコード情報を読取り、このコード情報を中継装置４０に送信する。中継装置４０は、このコード情報に対応する情報（無効情報、または、終了情報、または、次処理情報のいずれか）を含む情報を記憶手段から引き出して、乾燥装置３０に返信する。ここで、乾燥装置３０が無効情報を受け取った場合には乾燥装置３０が具備する報知手段８で報知する。すなわち、乾燥装置３０の制御手段４ｂは、洗濯脱水が完了していない対象物、もしくは、乾燥操作が指示されていない対象物は、そのまま乾燥させずに、一旦報知させて使用者へ喚起するようにプログラミングされている。
【００３７】
このときの動作としては、乾燥装置３０で乾燥を開始しようとした時点で、対象物１ｂの無線ＩＣタグ２ｂを読取手段３ｂで読み取って、無線ＩＣタグ２ｂのコード情報を元に中継装置４０に問い合わせた結果、乾燥を指示するような情報がない（無効情報）と判明した時点で、乾燥装置３０は制御手段４ｂより報知手段８を制御して、「洗濯脱水が終わっていません」というような警報、あるいは、アラーム音のような警告を発することも好ましい。
【００３８】
もちろん、乾燥を指示するような情報の代わりに、洗濯脱水が終了したという情報を用いて、同様の警報、あるいは警告を発してもかまわない。ただし、使用者の意図で、洗濯脱水処理を経由せず、直接乾燥したいという場合もあるので、乾燥を指示されていない対象物は一切乾燥させないのは行き過ぎであり、このような警報、警告に留めておくことが望ましい。
【００３９】
乾燥装置３０が終了情報、または、次処理情報を受け取った場合には、これまで説明した洗濯脱水装置２０と類似する動作を行う。洗濯脱水装置２０と類似する動作とは、すなわち、無線ＩＣタグ２ｂのコード情報を基にして中継装置４０、ルータ５０経由で、インターネット上のサーバ（名前解決サーバ６０、および、製品情報サーバ７０）にアクセスして乾燥に関する情報（乾燥装置で乾燥可能か、乾燥の温度は何度が適当であるか等）を取得して、その情報を用いて、制御手段４ｂが対象物１ｂを乾燥促進手段７で乾燥させるということである。このように乾燥を行い乾燥終了後に、乾燥が終了したことを示す情報（終了情報）と、無線ＩＣタグ２ｂのコード情報とを中継装置４０に送信し、これを受けた中継装置４０は記憶手段に、これらの情報を記憶する。
【００４０】
なお、中継装置４０の記憶手段に情報を記憶させるということで説明してきたが、無線ＩＣタグによっては、内部に記憶手段を具備したものがあるので、このような無線ＩＣタグを用いる場合には、無線ＩＣタグの具備する記憶手段に情報を記憶させておくということもありうる。ただし、書き込みが出来ない無線ＩＣタグの場合には、ここで説明しているように中継装置４０に記憶させるということが最も好ましい。
【００４１】
もちろん、ネットワーク機器同士で情報をやり取りすることが出来れば、それでも構わないが、必ずしもそれが可能とは限らないからである。その理由のひとつとして、情報送信先のネットワーク家電の電源がＯＮになっていることが求められるが、ネットワーク家電のすべてが常時電源ＯＮである保障はないので、そういった意味からも常時電源ＯＮが基本である中継装置にて情報を保管することが望ましい。
【００４２】
特に昨今のように二酸化炭素排出規制に伴う省エネルギの観点から、常時電源ＯＮになっている機器は少ないことが望ましく、特に外出先から制御しないネットワーク家電（ここでは乾燥装置）に対しては常時電源ＯＦＦとなっていることがほとんどで、このような場合には電源をＯＮしない限り情報を送ることが出来ないといった不具合が予想され、中継装置に情報を記憶させるのが妥当である。
【００４３】
さらにまた、ネットワーク機器に用いている特小無線通信手段には、発信専用として設計されているものがあり、こういったネットワーク機器同士では情報を直接やり取りすることは不可能であり、中継装置にて、情報を中継させることが最も効率的な解決手段と言える。
【００４４】
書き込む情報については、また、洗濯脱水した時刻情報（終了時刻情報）を加えて書き込んでも構わない。乾燥装置は、洗濯脱水した時刻を読み込み、その時刻からの経過時間を基にして乾燥工程が必要・不要の判断を行ってもよい。
【００４５】
たとえば、中継装置４０の記憶手段から読み込んだ情報により、洗濯脱水した時刻から３日以上経っていることを検知したら、すでに乾燥していることを予想して「乾燥する必要はないのでは」と判断して警報、あるいは、アラーム音のような警告で使用者に知らせる。また例えば、不完全な乾燥をしている恐れがあることから、洗濯乾燥をやり直させるような指示をしても構わないし、経過時間とともに条件が変化するようなケースを想定すると、時刻情報を加えて制御することは非常に有用である。
【００４６】
あるいは、洗濯脱水した時刻情報（終了時刻情報）の代わりに、乾燥すべき時刻（次処理時刻情報）を中継装置４０の記憶手段に書き込んでもよい。上記と同様に、乾燥装置はその乾燥すべき時刻を基にして乾燥工程が必要か不要かの判断を行うことができる。
【００４７】
以上のよって、第１のネットワーク家電での処理と、第２のネットワーク家電での処理とのあいだに制限時間を付与することができる。
【００４８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００４９】
また、ここでは第１のネットワーク家電として洗濯脱水装置、第２のネットワーク家電として乾燥装置を例にして説明したが、これに限定するものではなく、第１の処理を行ってから必ず第２の処理を行うといった異機種間にまたがる処理に関しても同様に適用可能で、ネットワーク家電に限らず、ネットワーク機能の無い家電機器、産業用機器であっても構わない。
【００５０】
例えば、第１のネットワーク家電は冷凍冷蔵庫であり、冷凍または冷蔵の温度情報（または冷蔵庫に保存したか、冷凍庫に保存したかを示す情報でもよい）を中継装置４０に送信して記憶手段に記憶する。第２のネットワーク家電は加熱調理機器であり、中継装置４０の記憶手段に記憶した情報を取得して、その被調理物の加熱強度や加熱時間を判断する。
【００５１】
例えば冷凍庫に保存されたことを示す情報を中継装置４０の記憶手段から取得した加熱調理器（電子レンジ）は、冷凍保存の温度にあわせた「解凍加熱」を行い、また、冷蔵庫に保存されたことを示す情報を取得した場合には、冷蔵保存の温度にあわせた「あたため加熱」を行う。
【００５２】
また、洗濯脱水装置と乾燥装置とでの実施の形態で説明したように、冷凍冷蔵庫から取り出した時刻情報（終了時刻情報）や解凍すべき時刻（次処理時刻情報）を中継装置４０の記憶手段に記憶してもよい。冷凍庫から取り出した時刻から所定時間が経過している被調理物は、「解凍加熱」ではなく「あたため加熱」を行うことを使用者に確認することができる。
【００５３】
なお、ネットワーク家電として、洗濯脱水装置と乾燥装置、冷凍冷蔵装置と加熱調理装置を例にして説明したが、これに限らず、第１のネットワーク家電で行ったことに関する情報を中継装置４０の記憶手段に記憶して、第２のネットワーク家電の動作に引き継ぐようなネットワークシステムであればよい。
【産業上の利用可能性】
【００５４】
以上のように、本発明にかかるネットワークシステムとそのプログラムは、対象物に対して、第１のネットワーク家電で第１の処理を行った後にだけ、第２のネットワーク家電で第２の処理を行うといった流れ処理を想定した複数のネットワーク家電間での連係動作が可能となり、たとえば、洗濯脱水が終わっていない衣類を乾燥装置で乾燥させてしまうと衣類の汚れを固着させてしまい、その後洗濯脱水しなおしても綺麗にならないといった場合考えられ、洗濯脱水が完了している衣類だけを対象にして乾燥させるということが期待できる。
【図面の簡単な説明】
【００５５】
【図１】本発明の実施の形態１におけるネットワークシステムの構成図
【符号の説明】
【００５６】
１ａ、１ｂ  対象物
２ａ、２ｂ  無線ＩＣタグ
３ａ、３ｂ  読取手段
４ａ、４ｂ  制御手段
４ｃ  制御手段（記憶手段あり）
５  洗濯脱水促進手段
６ａ、６ｂ  特小無線通信手段
７  乾燥促進手段
８  報知手段
９ａ、９ｂ  ＬＡＮ通信手段
１０  ＷＡＮ通信手段
２０  洗濯脱水装置（第１のネットワーク家電）
３０  乾燥装置（第２のネットワーク家電）
４０  中継装置
５０  ルータ
６０  名前解決サーバ
７０  製品情報サーバ
【図１】
2006228097.tif 000003